(57)【特許請求の範囲】
【請求項１】
複数種類の状況の各々に対応した共通の表現データを格納する第１のデータと複数の電気機器毎の変換方法を格納する第２のデータとを記憶するためのメモリと、プロセッサと、を備えるサーバと、
光を出力するための出力部を備える電気機器と、を備える光出力システムであって、
前記電気機器は、状況を特定して、前記状況を示す情報を前記サーバに送信し、
前記サーバのプロセッサは、前記第１のデータに基づいて前記状況に対応する前記表現データを特定し、前記第２のデータに基づいて前記表現データを前記電気機器の種類に応じて変換し、変換後の表現データを前記電気機器に送信し、
前記電気機器は、前記変換後の表現データに基づいて前記出力部から光を出力する、光出力システム。
【請求項２】
前記電気機器は、前記変換後の表現データに基づいて、光の色、輝度、彩度のうちの少なくともいずれかを連続的に変化させることによって前記光を出力する、請求項１に記載の光出力システム。
【請求項３】
前記電気機器は、前記変換後の表現データに基づいて前記光を出力することによって、前記電気機器または前記光出力システムの生命感を表現する、請求項１または２に記載の光出力システム。
【請求項４】
前記電気機器は、前記変換後の表現データに基づいて前記光を出力することによって、前記電気機器または前記光出力システムの情緒を表現する、請求項１から３のいずれか１項に記載の光出力システム。
【請求項５】
前記複数種類の状況のそれぞれが複数種類の情緒に対応付けられ、
前記複数種類の情緒のそれぞれが複数の前記表現データに対応付けられる、請求項１から４のいずれか１項に記載の光出力システム。
【請求項６】
前記複数種類の状況または前記複数種類の情緒は、目覚める／眠る／反応する／了解する／聞く／話す／考える／見守る／提案する／手助けする／協力する、の少なくともいずれかに対応する、請求項４または５に記載の光出力システム。
【請求項７】
前記電気機器毎の変換方法は、前記電気機器毎に設定された性格に対応する、請求項１または６のいずれか１項に記載の光出力システム。
【請求項８】
前記複数種類の状況に応じて前記電気機器毎の変換方法を変化させる、請求項１から７のいずれか１項に記載の光出力システム。
【請求項９】
前記複数種類の状況に属性が対応付けられ、
前記属性に応じて前記電気機器毎の変換方法が異なる、請求項１から８のいずれか１項に記載の光出力システム。
【請求項１０】
前記電気機器に関する履歴に基づいて、前記電気機器に対する変換方法を学習する、請求項１から９のいずれか１項に記載の光出力システム。
【請求項１１】
前記電気機器毎の変換方法としてロジックを記憶する、請求項１から１０のいずれか１項に記載の光出力システム。
【請求項１２】
複数種類の状況の各々に対応した共通の表現データを格納する第１のデータと複数の電気機器毎の変換方法を格納する第２のデータとを記憶するためのメモリと、プロセッサと、を備えるサーバにおける情報処理方法であって、
前記プロセッサが、前記第１のデータに基づいて前記状況に対応する前記表現データを特定するステップと、
前記プロセッサが、前記第２のデータに基づいて前記表現データを前記電気機器の種類に応じて変換するステップと、
前記プロセッサが、変換後の表現データを前記電気機器に送信するステップと、を備えるサーバの情報処理方法。
【発明の詳細な説明】
【技術分野】
【０００１】
本出願は、２０１６年９月１３日に出願された特願２０１６−１７８９１２に対して、優先権の利益を主張するものであり、それを参照することにより、その内容の全てを本書に含めるものである。【０００２】
以下の開示は、機器からの光の出力方法に関し、特に機器の周囲の状況や機器の動作などに応じた光を出力するための技術に関する。
【背景技術】
【０００３】
従来から、ネットワークを介して電気機器と通信端末とを連携させるための様々な技術が知られている。たとえば、特開２００６−１９８０１７号公報（特許文献１）には、ロボット玩具が開示されている。特許文献１によると、ロボット玩具において、少なくとも２色の光を同時に又は個別に発光可能な第１の光源と、第１の光源の周囲に配置された５つ以上の第２の光源と、感情を構成する少なくとも２種類の感情パラメータを記憶するメモリと、外部からの操作入力に基づいて感情パラメータの値を増減させる制御手段とを設け、制御手段が、各感情パラメータの値の組み合せに対応した発光パターンで第１及び又は第２の光源を発光させるようにした。
【先行技術文献】
【特許文献】
【０００４】
【特許文献１】特開２００６−１９８０１７号公報
【発明の概要】
【発明が解決しようとする課題】
【０００５】
従来よりも機器の周囲の状況や機器の動作などに適応した光を出力できる技術が求められている。そこで、本発明の一態様の目的は、機器の周囲の状況や機器の動作などに適応した光を出力できる光出力システム、サーバ、処理方法、通信端末、およびプログラムを提供することにある。
【課題を解決するための手段】
【０００６】
この発明のある態様に従うと、光出力システムが提供される。光出力システムは、複数種類の状況の各々に対応した、複数の電気機器で共通の表現データを記憶するためのメモリと、電気機器毎の変換方法によって表現データを変換するためのプロセッサと、電気機器に搭載され、変換後のデータに基づいて光を出力するための出力部と、を備える。【０００７】
好ましくは、出力部は、変換後のデータに基づいて、光の色、輝度、彩度のうちの少なくともいずれかを連続的に変化させることによって光を出力する。【０００８】
好ましくは、出力部は、変換後のデータに基づいて光を出力することによって、電気機器または光出力システムの生命感を表現する。なお、電気機器または光出力システムの生命感とは、電気機器または光出力システムがあたかも生きているように感じる感覚あるいは生命がそこにあるという印象などをいう。【０００９】
好ましくは、出力部は、変換後のデータに基づいて光を出力することによって、電気機器または光出力システムの情緒を表現する。なお情緒とは、周囲の状況に基づいて起こるさまざまの微妙な感情、あるいはそのような感情を起こさせる特殊な雰囲気をいう。あるいは、喜び、悲しみ、怒り、恐怖、不安などの精神的または物理的な動きをいう。【００１０】
好ましくは、複数種類の状況のそれぞれが複数種類の情緒に対応付けられる。複数種類の情緒のそれぞれが複数の表現データに対応付けられる。【００１１】
好ましくは、複数種類の状況または複数種類の情緒は、目覚める／眠る／反応する／了解する／聞く／話す／考える／見守る／提案する／手助けする／協力する、の少なくともいずれかに対応する。【００１２】
好ましくは、電気機器毎の変換方法は、電気機器毎に設定された性格に対応する。【００１３】
好ましくは、メモリと通信インターフェイスとがサーバに搭載される。通信インターフェイスは、表現データまたは変換方法または変換後のデータを電気機器に送信する。【００１４】
好ましくは、複数種類の状況に応じて電気機器毎の変換方法を変化させる。【００１５】
好ましくは、複数種類の状況に属性が対応付けられる。属性に応じて電気機器毎の変換方法が異なる。【００１６】
好ましくは、電気機器に関する履歴に基づいて、電気機器に対する変換方法を学習する。【００１７】
好ましくは、電気機器毎の変換方法としてロジックを記憶する。【００１８】
この発明の別の態様に従うと、サーバが提供される。サーバは、複数種類の状況の各々に対応した、複数の電気機器で共通の表現データを、電気機器毎の変換方法によって変換するためのプロセッサと、変換後のデータを電気機器に送信するための通信インターフェイスと、を備える。【００１９】
この発明の別の態様に従うと、サーバの処理方法が提供される。サーバの処理方法は、複数種類の状況の各々に対応した、複数の電気機器で共通の表現データを、電気機器毎の変換方法によって変換するステップと、変換後のデータを電気機器に送信するステップと、を備える。【００２０】
この発明の別の態様に従うと、電気機器が提供される。電気機器は、出力部と、複数種類の状況の各々に対応した表現データを所定の変換方法によって変換し、変換後のデータに基づいて出力部に光を出力させるためのプロセッサと、を備える。【００２１】
この発明の別の態様に従うと、プロセッサと出力部とを含む電気機器のためのプログラムが提供される。プログラムは、複数種類の状況の各々に対応した表現データを所定の変換方法によって変換するステップと、変換後のデータに基づいて出力部に光を出力させるステップと、をプロセッサに実行させる。
【発明の効果】
【００２２】
以上のように、本発明の一態様によれば、機器または環境などに適応した光を出力できる光出力システム、サーバ、処理方法、通信端末、およびプログラムが提供される。
【図面の簡単な説明】
【００２３】
【図１】第１の実施の形態にかかるネットワークシステム１の全体構成を示すイメージ図である。
【図２】第１の実施の形態にかかるサーバ１００の構成を表わすブロック図である。
【図３】第１の実施の形態にかかる行動データベース１２１を示すイメージ図である。
【図４】第１の実施の形態にかかる第１の共通表現データベース１２２Ａを示すイメージ図である。
【図５】第１の実施の形態にかかる第２の共通表現データベース１２２Ｂを示すイメージ図である。
【図６】第１の実施の形態にかかる発光する素子のＩＤとＲＧＢの輝度の時系列のデータの図である。
【図７】第１の実施の形態にかかる変換方法の概要を示すイメージ図である。
【図８】第１の実施の形態にかかる変換方法の種類を示すイメージ図である。
【図９】第１の実施の形態にかかるキーワードと変換方法との対応関係を示すイメージ図である。
【図１０】第１の実施の形態にかかる個性データベース１２３を示すイメージ図である。
【図１１】第１の実施の形態にかかる変換方法の具体例を示すイメージ図である。
【図１２】第１の実施の形態にかかる家族データベース１２４を示すイメージ図である。
【図１３】第１の実施の形態にかかるユーザデータベース１２５を示すイメージ図である。
【図１４】第１の実施の形態にかかる機器データベース１２６を示すイメージ図である。
【図１５】第１の実施の形態にかかる個性データベース１２３を示す第２のイメージ図である。
【図１６】第１の実施の形態にかかる第２の個性データベース１２３Ｂを示すイメージ図である。
【図１７】第１の実施の形態にかかる電気機器３００の構成を表わすブロック図である。
【図１８】第１の実施の形態にかかるサーバ１００および電気機器３００における情報処理方法を示すシーケンス図である。
【図１９】第２の実施の形態にかかる電気機器３００毎の個性を示すイメージ図である。
【図２０】第２の実施の形態にかかる個性データベース１２３Ｃを示すイメージ図である。
【図２１】第３の実施の形態にかかる個性データベース１２３Ｄを示すイメージ図である。
【図２２】第４の実施の形態にかかるサーバ１００および電気機器３００における情報処理方法を示すシーケンス図である。
【図２３】第５の実施の形態にかかるサーバ１００および電気機器３００における情報処理方法を示すシーケンス図である。
【図２４】第６の実施の形態にかかる電気機器３００における情報処理方法を示すフローチャートである。
【図２５】第７の実施の形態にかかるサーバ１００および電気機器３００における情報処理方法を示すシーケンス図である。
【図２６】第８の実施の形態にかかるサーバ１００および電気機器３００における情報処理方法を示すシーケンス図である。
【図２７】第９の実施の形態にかかる個性データベース１２３Ｅを示すイメージ図である。
【図２８】第９の実施の形態にかかる第２の個性データベース１２３Ｆを示すイメージ図である。
【図２９】第１０の実施の形態にかかるネットワークシステム１の動作概要を示すイメージ図である。
【図３０】第１０の実施の形態にかかるネットワークシステム１の第１の具体例を示すイメージ図である。
【図３１】第１０の実施の形態にかかるネットワークシステム１の第２の具体例を示すイメージ図である。
【図３２】第１０の実施の形態にかかるネットワークシステム１の第３の具体例を示すイメージ図である。
【図３３】第１０の実施の形態にかかる一日のうちの活動量の変化を示すイメージ図である。
【図３４】第１０の実施の形態にかかる個性データベース１２３Ｇを示すイメージ図である。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成＞
【００２５】
まず、図１を参照して本実施の形態にかかるネットワークシステム１の全体構成について説明する。図１は、本実施の形態にかかるネットワークシステム１の全体構成を示すイメージ図である。
【００２６】
本実施の形態にかかるネットワークシステム１は、主に、サーバ１００と、エアコン３００Ａ、テレビ３００Ｂ、冷蔵庫３００Ｃ、自走式掃除機３００Ｄ、スマートフォン３００Ｅなどの電気機器とを含む。
【００２７】
なお、電気機器は、エアコン３００Ａ、テレビ３００Ｂ、冷蔵庫３００Ｃ、自走式掃除機３００Ｄ、スマートフォン３００Ｅに限らず、洗濯機・空気清浄器・加湿器・除湿器・炊飯器・照明などの家電、テレビ・ハードディスクレコーダ・プロジェクタ・音楽プレーヤーなどのＡＶ（オーディオ・ビジュアル）機器、パーソナルコンピュータ・タブレット・ゲーム機・電子辞書などの通信端末、組み込み照明・太陽光発電機・インターホン・給湯器・温水洗浄便座コントローラなどの住宅設備、などであってもよい。以下では、電気機器を総称して、電気機器３００ともいう。
【００２８】
本実施の形態においては、電気機器３００は、Ｗｉ−Ｆｉ（登録商標）、Ｂｌｕｅｔｏｏｔｈ（登録商標）、ＺｉｇＢｅｅ（登録商標）などのルータやインターネットなどを介してサーバ１００と接続可能に構成されている。
【００２９】
本実施の形態にかかる電気機器３００は、ディスプレイやＬＥＤライトなどから光を発することができる。そして、サーバ１００は、電気機器３００の周囲の状況や電気機器３００の動作などに応じた光の出力方法を記憶している。ここでの光の出力方法は、電気機器３００の種類にかかわらず共通のものであって、たとえば、輝度や点滅パターンなどである。以下では、共通表現データともいう。
【００３０】
また、本実施の形態においては、サーバ１００は、共通表現データの電気機器３００毎の変換方法としての個性データも記憶している。そしてたとえば、機器の種類毎の個性データに基づいて、共通表現データに対して、オフィス関係の電気機器３００は点滅パターンを早くしたり、空気調和関係の電気機器３００は輝度を高めたり、照明関係の電気機器３００は光の輪郭をぼかしたりする。
【００３１】
本実施の形態においては、電気機器３００の周囲の状況や動作に応じた共通表現データを、電気機器３００に対応づけられた性格としての個性データに基づいて変換したものを、電気機器３００が出力する。これによって、ユーザが感じる電気機器３００やネットワークシステム１の生命感を高めることができる。特に、電気機器３００に応じて共通表現データを変換するため、電気機器３００からの情緒の表現が多彩になり、ユーザは、電気機器３００があたかも性格を有しており、電気機器３００があたかも情緒を表現しているかのように感じることができる。
【００３２】
なお、ユーザに、電気機器３００に対する信頼感を生じさせたり、電気機器３００の思いやりを感じさせたりすることによってユーザを暖かい気持ちや嬉しい気持ちにできればより好ましい。
【００３３】
以下、このような機能を実現するためのネットワークシステム１の具体的な構成について詳述する。
＜サーバ１００の構成＞
【００３４】
まず、本実施の形態にかかるネットワークシステム１を構成するサーバ１００の構成の一態様について説明する。なお、図２は、本実施の形態にかかるサーバ１００の構成を表わすブロック図である。
【００３５】
図２を参照して、サーバ１００は、主たる構成要素として、ＣＰＵ（Central Processing Unit）１１０と、メモリ１２０と、ディスプレイ１３０と、操作部１４０と、通信インターフェイス１６０とを含む。
【００３６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００３７】
メモリ１２０は、各種のＲＡＭ（Random  Access  Memory）、各種のＲＯＭ（Read-Only  Memory）などによって実現される。メモリ１２０は、ＣＰＵ１１０によって実行されるプログラムや、ＣＰＵ１１０によるプログラムの実行により生成されたデータ、入力されたデータ、その他の本実施の形態にかかる情緒表現サービスに利用されるデータベースなどを記憶する。
【００３８】
たとえば、本実施の形態にかかるメモリ１２０は、情緒表現サービスに関して、行動データベース１２１、共通表現データベース１２２Ａ，１２２Ｂ、個性データベース１２３、家族データベース１２４、ユーザデータベース１２５、機器データベース１２６などのデータを格納する。なお、本実施の形態においては、これらのデータベースなどの情報がサーバ１００に格納されているが、それらの情報はサーバ１００がアクセス可能な他の装置に格納されてもよい。
【００３９】
ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００４０】
通信インターフェイス１６０は、ＣＰＵ１１０からのデータを、インターネット、キャリア網、ルータなどを介して、電気機器３００などの他の装置に送信する。逆に、通信インターフェイス１６０は、インターネット、キャリア網、ルータなどを介して電気機器３００などの他の装置からのデータを受信して、ＣＰＵ１１０に受け渡す。
＜行動データベース１２１＞
【００４１】
ここで、行動データベース１２１に関して説明する。図３は、本実施の形態にかかる行動データベース１２１を示すイメージ図である。図３を参照して、行動データベース１２１は、生命感を表現するための機器の動作毎に、主に、想定されるシーンが格納されている。なお、想定されるシーンは、電気機器３００の動作やユーザから受け付けた操作命令や各種のセンサからの測定結果などの組み合わせから特定できるものである。これらの情報に基づいて、電気機器３００またはサーバ１００はユーザの行動や電気機器３００の周囲の状況を予測して、当該状況に対応した電気機器３００の動作を決定することができる。
【００４２】
つまり、ＣＰＵ１１０は、電気機器３００からの各種センサの測定結果に基づいて想定シーンを特定したり、電気機器３００の周囲の状況や電気機器３００の動作を特定したりすることができる。なお、本実施の形態においては、最新の行動データベース１２１が電気機器３００に逐次ダウンロードされ、電気機器３００が各種センサの測定結果に基づいて想定シーンを特定し、その結果、電気機器３００の周囲の状況を特定したり電気機器３００の動作を特定したりするものである。
＜共通表現データベース１２２Ａ，１２２Ｂ＞
【００４３】
次に、共通表現データベース１２２Ａ，１２２Ｂに関して説明する。図４および図５は、本実施の形態にかかる共通表現データベース１２２Ａ，１２２Ｂを示すイメージ図である。図４および図５を参照して、共通表現データベース１２２Ａ，１２２Ｂは、電気機器３００の周囲の状況毎、またはそれに対応する電気機器３００の情緒表現の動作毎に、情緒表現の種類を示す情報と、光による情緒表現の具体的な出力方法とを含む。
【００４４】
より詳細には、光による情緒表現の共通表現データとは、たとえば、図６に示すように、発光する素子のＩＤとＲＧＢの輝度の時系列のデータとを含む。これによって、本実施の形態においては、サーバ１００のＣＰＵ１１０は、通信インターフェイス１６０を介して、電気機器３００で取得された周囲の状況に適したＲＧＢの輝度の時系列のデータを電気機器３００に提供することができる。
＜共通表現データの変換方法と個性データベース１２３＞
【００４５】
次に、情緒表現毎の共通表現データを、電気機器３００の種類に基づいて変換する方法について詳述する。まず、図７を参照して、本実施の形態の変換方法の概要を説明する。本実施の形態においては、電気機器３００の周囲の状況に応じた情緒表現に対応する共通表現データ（図４、図５の共通表現データベース１２２Ａ，１２２Ｂを参照）が特定される。共通表現データは、電気機器３００の種類毎に設定されている個性データに基づいて変換される。変換後の共通表現データに従って電気機器３００がディスプレイやライトから光を発するものである。そして特に、この個性データが、電気機器３００の種類毎の性格に対応するものである。
【００４６】
より詳細には、図８に示すように、本実施の形態にかかる変換方法としては、たとえば、
（１）所定の強度や輝度が割り当てられる発光の時間を縮小したり延ばしたりする時間テンポ変換、
（２）発光部分の境界をぼかしたり明確にしたりする輪郭ボカシ変換、
（３）ＲＧＢの輝度を規則的に変更する、たとえば発光開始から発光までＲを４０％強めてＧを５０％弱めてＢを発光しないなど、規則輝度変換、
（４）ＲＧＢの輝度を不規則的に変更する、たとえば電気機器３００の種類だけでなくさらに周囲の状況にも合わせて、ＲＧＢの各々を１０％強めたり弱めたりするなど、不規則輝度変換、があげられる。
【００４７】
ただし、変換方法は、上記のようなものに限られない。たとえば、ＲＧＢをＨＳＶ形式に変換してから、Ｓ（Satulation）を増減する変換を利用してもよい。あるいは、予め感情と色との対応関係、たとえば喜び＝黄、怒り＝赤、悲しみ＝青紫など、を準備しておき、感情パラメータに基づいて色を決定してもよい。あるいは、周波数帯に対応する感情を割り当てておき、ユーザや電気機器３００の音声の周波数帯を検出することによって、周波数に対応する感情に対応する色を特定してもよい。
【００４８】
そして本実施の形態においては、電気機器３００の種類毎に、このような変換方法のいずれかが設定される。換言すれば、電気機器３００の性格を表すように、電気機器３００に変換方法を設定する。たとえば、図９に示すように、電気機器３００のデザインやコンセプトやユーザが感じるイメージが、「知識豊富」または「スマート」または「賢い」というものであった場合、時間縮小割合を９０％に設定する。また、電気機器３００のデザインやコンセプトやユーザが感じるイメージが、「てきぱき」または「働く」というものであった場合、時間縮小割合を５０％に設定する。また、電気機器３００のデザインやコンセプトやユーザが感じるイメージが、「はきはき」または「はっきり」というものであった場合、映像ぼかしを−１０ｐｔに設定する。
【００４９】
そして、上記のような電気機器の種類毎のイメージに基づいて、本実施の形態においては、図１０に示すように、電気機器３００の種類毎に個性データが設定される。図１０を参照して、個性データベース１２３は、サーバ１００またはサーバ１００がアクセス可能な装置が記憶するものであって、電気機器３００の種類と電気機器３００の個性と変換方法としての個性データとの対応関係を記憶する。
【００５０】
これによって、図１１に示すように、電気機器３００の周囲の状況に応じた情緒表現に対応する共通表現データ（図４、図５の共通表現データベース１２２Ａ，１２２Ｂを参照）を、電気機器３００の種類毎に設定されている個性データベース１２３（図１０を参照）に基づいて変換して、当該変換後の共通表現データに従って電気機器３００のディスプレイやライトから電気機器３００の性格を反映した光を発する。
＜その他のデータ＞
【００５１】
次に、サーバ１００またはサーバ１００がアクセス可能な装置が記憶するその他のデータに関して説明する。
【００５２】
図１２は、本実施の形態にかかる家族データベース１２４を示すイメージ図である。図１２を参照して、本実施の形態にかかる家族データベース１２４は、家族毎に、主に、家族ＩＤと、家族名と、家族の住所などを含む。
【００５３】
図１３は、本実施の形態にかかるユーザデータベース１２５を示すイメージ図である。図１３を参照して、本実施の形態にかかるユーザデータベース１２５は、ユーザ毎に、主に、ユーザＩＤと、ユーザ名と、ユーザの家族のＩＤと、ユーザのメールアドレスと、ユーザの家電操作サービスや情緒表現サービスへのログインパスワード、などを含む。
【００５４】
図１４は、本実施の形態にかかる機器データベース１２６を示すイメージ図である。図１４を参照して、本実施の形態にかかる機器データベース１２６は、電気機器毎に、主に、電気機器のＩＤと、購入者などに設定された電気機器の名前と、電気機器の商品名と、電気機器の型番と、電気機器を所有するユーザのＩＤおよび／または家族のＩＤなどを格納する。
【００５５】
なお、図１０に関して説明したが、本実施の形態においては、図１５に示すように、個性データベース１２３が、商品の種類毎に、商品の名称と、商品のイメージとしてのキーワードと、個性データとを格納するものであった。すなわち、テレビに関してはテレビに設定された性格に対応する個性データが設定されており、エアコンに関してはエアコンに設定された性格に対応する個性データが設定されるものであった。さらに、個性データベース１２３が、サーバ１００に格納され、サーバ１００の管理者の操作や、ユーザがクラウドサービスへアクセスして設定することにより、キーワードを追加、または修正などをすることによって、パラメータを自動的に設定するような使い方も可能である。
【００５６】
しかしながら、図１６に示すように、個性データベース１２３Ｂは、主に、商品の型番毎や製品の色毎に個性データを格納してもよい。すなわち、５０インチの角張ったテレビに設定された性格としてのキーワードと、４０インチの丸みを帯びたテレビに設定された性格としてのキーワードとが異なる場合は、５０インチの角張ったテレビに対応する個性データとは別に４０インチの丸みを帯びたテレビに対応する個性データが準備されることが好ましい。
＜電気機器３００の構成＞
【００５７】
次に、図１７を参照して、ネットワークシステム１を構成する電気機器３００の構成の一態様について説明する。なお、図１７は、本実施の形態にかかる電気機器３００の構成を表わすブロック図である。
【００５８】
電気機器３００は、主たる構成要素として、ＣＰＵ３１０と、メモリ３２０と、ディスプレイ３３０と、操作部３４０と、通信インターフェイス３６０と、スピーカ３７０と、マイク３８０と、機器駆動部３９０と、各種センサ３９５とを含む。なお、ディスプレイ３３０は、複数色のＬＥＤライトから構成されるライトであってもよいし、ＬＥＤライトでない１または複数のライトであってもよいし、単色の１または複数のライトであってもよい。
【００５９】
ＣＰＵ３１０は、メモリ３２０あるいは外部の記憶媒体に記憶されているプログラムを実行することによって、電気機器３００の各部を制御する。
【００６０】
メモリ３２０は、各種のＲＡＭや、各種のＲＯＭなどによって実現される。メモリ３２０は、ＣＰＵ３１０によって実行される情緒表現プログラムまたは他のプログラムや、ＣＰＵ３１０によるプログラムの実行により生成されたデータ、サーバ１００から受信したデータ、操作部３４０を介して入力されたデータなどを記憶する。
【００６１】
ディスプレイ３３０は、ＣＰＵ３１０からの信号に基づいて、文字や画像などを出力する。そして特に、ディスプレイ３３０は、ＣＰＵ３１０からの信号に基づいて、電気機器３００の周囲の状況や動作に基づいた、また電気機器３００の性格に基づいた、変換後の共通表現データに基づいて光を出力する。なお、ディスプレイ３３０の代わりに、単にライトが、ＣＰＵ３１０からの信号に基づいて、電気機器３００の周囲の状況や動作に基づいた、また電気機器３００の性格に基づいた、共通表現データによって光を出力してもよい。
【００６２】
操作部３４０は、ボタン、タッチパネルなどによって実現され、ユーザからの命令を受け付けて、当該命令をＣＰＵ３１０に入力する。なお、ディスプレイ３３０と操作部３４０とは、タッチパネル３５０を構成してもよい。
【００６３】
通信インターフェイス３６０は、無線ＬＡＮ通信あるいは有線ＬＡＮなどの通信モジュールによって実現される。通信インターフェイス３６０は、有線通信あるいは無線通信によって他の装置との間でデータをやり取りする。すなわち、ＣＰＵ３１０は、通信インターフェイス３６０を介して、サーバ１００などの他の装置から各種の情報を受信したり、サーバ１００などの他の装置に各種の情報を送信したりする。
【００６４】
スピーカ３７０は、ＣＰＵ３１０からの信号に基づいて、音声を出力する。マイク３８０は、外部からの音声に基づいて音声信号を作成し、ＣＰＵ３１０に入力する。
【００６５】
機器駆動部３９０は、ＣＰＵ３１０からの信号に基づいて、電気機器の各部（モータやヒータなど）を制御する。
【００６６】
各種センサ３９５は、カメラなどを構成する画像センサや、電気機器３００の動きを検知するための加速度センサや、ユーザの接触を検知するための接触センサや、周囲の温度を検知するための温度センサや、周囲の音を検知するための音量センサや、周囲の人を検知するための人感センサなどを含む。
＜サーバ１００と電気機器３００における情報処理＞
【００６７】
次に、図１８を参照しながら、本実施の形態にかかるサーバ１００および電気機器３００における情報処理について説明する。なお、図１８は、本実施の形態にかかるサーバ１００および電気機器３００における情報処理方法を示すシーケンス図である。
【００６８】
まず、電気機器３００のＣＰＵ３１０は、各種センサ３９５からの検知結果に基づいて、電気機器３００の周囲の状況または電気機器３００の動作または電気機器３００が出力すべき情緒表現を特定する（ステップＳ１１０）。
【００６９】
より詳細には、たとえば「目覚める」という電気機器３００の動作あるいは情緒表現に関しては、ＣＰＵ３１０は、定期的にカメラ撮影や人の検知など、各種センサ３９５からの検知結果を取得する（ステップＳ１１２）。ＣＰＵ３１０は、取得したデータに基づいて、周囲に人の存在を検知すると（ステップＳ１１４にてＹＥＳである場合）、「目覚める」という電気機器３００の周囲の状況または電気機器３００が出力すべき情緒表現を特定する（ステップＳ１１６）。
【００７０】
ＣＰＵ３１０は、通信インターフェイス３６０を介して、サーバ１００に「情緒表現」に対応する共通表現データを要求する（ステップＳ１２１）。より詳細には、ＣＰＵ３１０は、通信インターフェイス３６０を介して、今回特定された情緒表現を特定するための情報をサーバ１００に送信する。
【００７１】
サーバ１００のＣＰＵ１１０は、通信インターフェイス１６０を介して、情緒表現を特定する情報を受信する。ＣＰＵ１１０は、メモリ１２０の共通表現データベース１２２Ａ，１２２Ｂを参照して、図６に示すような、情緒表現に対応する、発光する素子のＩＤとＲＧＢの輝度の時系列のデータを読み出して、当該共通表現データを電気機器３００に送信する（ステップＳ１２２）。
【００７２】
電気機器３００のＣＰＵ３１０は、通信インターフェイス３６０を介して、サーバ１００に電気機器３００に対応する共通表現データの変換方法、すなわち個性データを要求する（ステップＳ１３１）。より詳細には、ＣＰＵ３１０は、通信インターフェイス３６０を介して、電気機器３００の種類を特定する情報を送信する。
【００７３】
サーバ１００のＣＰＵ１１０は、通信インターフェイス１６０を介して、電気機器３００の種類を特定する情報を受信する。ＣＰＵ１１０は、メモリ１２０の個性データベース１２３，１２３Ｂを参照して、電気機器３００に対応する個性データを読み出す。ＣＰＵ１１０は、通信インターフェイス１６０を介して、当該個性データを電気機器３００に送信する（ステップＳ１３２）。
【００７４】
ＣＰＵ３１０は、サーバ１００から取得した共通表現データを、サーバ１００から取得した個性データによって変換する（ステップＳ１４０）。ＣＰＵ３１０は、変換後のデータに基づいて、ディスプレイ（ＬＥＤライト）３３０に、光を出力させる（ステップＳ１５０）。
＜第２の実施の形態＞
【００７５】
第１の実施の形態では、電気機器３００の種類毎または型番毎に個性データが設定されるものであった。しかしながら、このような構成には限られない。本実施の形態においては、電気機器３００の種類毎だけでなく、情緒表現の種類毎にも応じて個性データが設定されるものである。
【００７６】
たとえば、図１９、あるいはそれを具体的にパラメータ化した図２０に示すように、電気機器３００の種類毎に、基本的な表現方法や、複数の情緒表現毎の個性データが設定される。あるいは、複数の情緒表現の各々に、受動的な場面という属性や能動的な場面という属性などのいずれかの属性などを付与して、属性毎に個性データを異ならせる。ここで、特定の場合には、また別の特別な処理を行うようにしても良い。音声波形をＦＦＴ（Fast Fourier Transform）した結果のスペクトルに基づき色を決定するようにしたり、音声内容と共に付随されたパラメータに基づき、色を変化させるようにしたりする事も出来る（例えば、楽しい話題のニュース記事内容と、共に付随された「喜び」パラメータにより、黄色に変化させる）。
【００７７】
そして、サーバ１００またはサーバ１００がアクセス可能な装置が、図２０に示すような個性データベース１２３Ｃを記憶する。これによって、図１１に示すように、電気機器３００の周囲の状況に応じた情緒表現に対応する共通表現データ（図４、図５の共通表現データベース１２２Ａ，１２２Ｂを参照）を、電気機器３００の種類毎に設定されている個性データベース１２３Ｃ（図２０を参照）に基づいて変換して、当該変換後の共通表現データに従って電気機器３００のディスプレイやライトから光を発する。
＜第３の実施の形態＞
【００７８】
なお、情緒表現サービス開始後の設計変更のしやすさのために、すなわちサービスの運営者などが後から容易に変換方法すなわち個性データを修正したり更新したりしやすいように、図２１に示すように、個性データベース１２３Ｄの変換方法としてロジックが格納されてもよい。ロジックの具体的な実装方法としては、例えば、共通表現データの発光する素子のＩＤとＲＧＢの輝度の時系列のデータを入力として受け取り、それらに対して何らかの演算を行って変換後の時系列のデータを出力するようなJavaScript（登録商標）等のスクリプトとすることが考えられる。
＜第４の実施の形態＞
【００７９】
第１〜第３の実施の形態においては、サーバ１００が、図４および図５の共通表現データベース１２２Ａ，１２２Ｂと、図１０や図２０などの個性データベース１２３とを記憶し、電気機器３００がサーバ１００から情緒表現の共通表現データや個性データを受信するものであった。しかしながら、本実施の形態においては、電気機器３００が個性データベース１２３を予めいずれかのサーバからダウンロードしているものである。なお、サーバからのダウンロードに限らず、電気機器３００に個性データベース１２３が予め格納されるものであってもよい。
【００８０】
なお、ネットワークシステム１の全体構成、サーバ１００の構成、各種データベース、共通表現データの変換方法、電気機器３００のハードウェア構成などについては、第１の実施の形態のそれらと同様であるため、ここでは説明を繰り返さない。以下では、図２２を参照しながら、本実施の形態にかかるサーバ１００および電気機器３００における情報処理について説明する。なお、図２２は、本実施の形態にかかるサーバ１００および電気機器３００における情報処理方法を示すシーケンス図である。
【００８１】
まず、第１の実施の形態と同様に、電気機器３００のＣＰＵ３１０は、各種センサ３９５からの検知結果に基づいて、電気機器３００の周囲の状況または電気機器３００の動作または電気機器３００が出力すべき情緒表現を特定する（ステップＳ１１０）。
【００８２】
ＣＰＵ３１０は、通信インターフェイス３６０を介して、サーバ１００に「情緒表現」に対応する共通表現データを要求する（ステップＳ１２１）。より詳細には、ＣＰＵ３１０は、通信インターフェイス３６０を介して、特定された情緒表現を特定するための情報をサーバ１００に送信する。
【００８３】
サーバ１００のＣＰＵ１１０は、通信インターフェイス１６０を介して、情緒表現を特定するための情報を受信する。ＣＰＵ１１０は、メモリ１２０の共通表現データベース１２２Ａ，１２２Ｂを参照して、図６に示すような、情緒表現に対応する、発光する素子のＩＤとＲＧＢの輝度の時系列のデータを読み出す。ＣＰＵ１１０は、通信インターフェイス１６０を介して、当該共通表現データを電気機器３００に送信する（ステップＳ１２２）。
【００８４】
ＣＰＵ３１０は、メモリ３２０の個性データベース１２３から電気機器３００に対応する共通表現データの変換方法、すなわち個性データを読み出す（ステップＳ１３１Ｂ）。
【００８５】
ＣＰＵ３１０は、サーバ１００から取得した共通表現データを、メモリ３２０から読み出した個性データによって変換する（ステップＳ１４０）。ＣＰＵ３１０は、変換後のデータに基づいて、ディスプレイ（ＬＥＤライト）３３０に、光を出力させる（ステップＳ１５０）。
＜第５の実施の形態＞
【００８６】
第１〜第３の実施の形態においては、サーバ１００が、図４および図５の共通表現データベース１２２Ａ，１２２Ｂと、図１０や図２０などの個性データベース１２３とを記憶し、電気機器３００がサーバ１００から情緒表現の共通表現データや個性データを受信するものであった。しかしながら、本実施の形態においては、電気機器３００が図４および図５の共通表現データベース１２２Ａ，１２２Ｂを予めいずれかのサーバからダウンロードしているものである。
【００８７】
なお、ネットワークシステム１の全体構成、サーバ１００の構成、各種データベース、共通表現データの変換方法、電気機器３００のハードウェア構成などについては、第１の実施の形態のそれらと同様であるため、ここでは説明を繰り返さない。以下では、図２３を参照しながら、本実施の形態にかかるサーバ１００および電気機器３００における情報処理について説明する。なお、図２３は、本実施の形態にかかるサーバ１００および電気機器３００における情報処理方法を示すシーケンス図である。
【００８８】
まず、第１の実施の形態と同様に、電気機器３００のＣＰＵ３１０は、各種センサ３９５からの検知結果に基づいて、電気機器３００の周囲の状況または電気機器３００の動作または電気機器３００が出力すべき情緒表現を特定する（ステップＳ１１０）。
【００８９】
ＣＰＵ３１０は、メモリ３２０の共通表現データベース１２２Ａ，１２２Ｂを参照して、特定された「情緒表現」に対応する共通表現データを読み出す（ステップＳ１２１Ｂ）。
【００９０】
ＣＰＵ３１０は、通信インターフェイス３６０を介して、サーバ１００に電気機器３００に対応する共通表現データの変換方法、すなわち個性データを要求する（ステップＳ１３１）。より詳細には、ＣＰＵ３１０は、通信インターフェイス３６０を介して、電気機器３００の商品を特定する情報をサーバ１００に送信する。
【００９１】
サーバ１００のＣＰＵ１１０は、通信インターフェイス１６０を介して、電気機器３００の種類を特定する情報を受信する。ＣＰＵ１１０は、メモリ１２０の個性データベース１２３を参照して、電気機器３００の種類に対応する個性データを読み出す。ＣＰＵ１１０は、通信インターフェイス１６０を介して、当該個性データを電気機器３００に送信する（ステップＳ１３２）。
【００９２】
ＣＰＵ３１０は、メモリ３２０から読み出した共通表現データを、サーバ１００から取得した個性データによって変換する（ステップＳ１４０）。ＣＰＵ３１０は、変換後のデータに基づいて、ディスプレイ（ＬＥＤライト）３３０に、光を出力させる（ステップＳ１５０）。
＜第６の実施の形態＞
【００９３】
第１〜第３の実施の形態においては、サーバ１００が、図４および図５の共通表現データベース１２２Ａ，１２２Ｂと、図１０や図２０などの個性データベース１２３とを記憶し、電気機器３００がサーバ１００から情緒表現の共通表現データや個性データを受信するものであった。しかしながら、本実施の形態においては、電気機器３００が図４および図５の共通表現データベース１２２Ａ，１２２Ｂと、個性データベース１２３とを予めいずれかのサーバからダウンロードしているものである。なお、サーバからのダウンロードに限らず、電気機器３００に個性データベース１２３が予め格納されるものであってもよい。
【００９４】
なお、ネットワークシステム１の全体構成、サーバ１００の構成、各種データベース、共通表現データの変換方法、電気機器３００のハードウェア構成などについては、第１の実施の形態のそれらと同様であるため、ここでは説明を繰り返さない。以下では、図２４を参照しながら、本実施の形態にかかるサーバ１００および電気機器３００における情報処理について説明する。なお、図２４は、本実施の形態にかかる電気機器３００における情報処理方法を示すフローチャートである。
【００９５】
まず、第１の実施の形態と同様に、電気機器３００のＣＰＵ３１０は、各種センサ３９５からの検知結果に基づいて、電気機器３００の周囲の状況または電気機器３００の動作または電気機器３００が出力すべき情緒表現を特定する（ステップＳ１１０）。
【００９６】
ＣＰＵ３１０は、特定された「情緒表現」に対応する共通表現データをメモリ３２０から読み出す（ステップＳ１２１Ｂ）。
【００９７】
ＣＰＵ３１０は、電気機器３００に対応する共通表現データの変換方法、すなわち個性データを読み出す（ステップＳ１３１Ｂ）。
【００９８】
ＣＰＵ３１０は、メモリ３２０から読み出した共通表現データを、メモリ３２０から読み出した個性データによって変換する（ステップＳ１４０）。ＣＰＵ３１０は、変換後のデータに基づいて、ディスプレイ（ＬＥＤライト）３３０に、光を出力させる（ステップＳ１５０）。
＜第７の実施の形態＞
【００９９】
第１〜第６の実施の形態においては、電気機器３００が情緒表現に基づいた共通表現データを電気機器３００の種類に基づいた個性データによって変換するものであった。しかしながら、本実施の形態においては、変換処理もサーバ１００が実行するものである。
【０１００】
なお、ネットワークシステム１の全体構成、サーバ１００の構成、各種データベース、共通表現データの変換方法、電気機器３００のハードウェア構成などについては、第１の実施の形態のそれらと同様であるため、ここでは説明を繰り返さない。以下では、図２５を参照しながら、本実施の形態にかかるサーバ１００および電気機器３００における情報処理について説明する。なお、図２５は、本実施の形態にかかるサーバ１００および電気機器３００における情報処理方法を示すシーケンス図である。
【０１０１】
まず、第１の実施の形態と同様に、電気機器３００のＣＰＵ３１０は、各種センサ３９５からの検知結果に基づいて、電気機器３００の周囲の状況または電気機器３００の動作または電気機器３００が出力すべき情緒表現を特定する（ステップＳ１１０）。
【０１０２】
ＣＰＵ３１０は、通信インターフェイス３６０を介して、サーバ１００に「情緒表現」を特定するための情報を送信する（ステップＳ１２１Ｃ）。
【０１０３】
サーバ１００のＣＰＵ１１０は、通信インターフェイス１６０を介して情緒表現を特定する情報を受信して、共通表現データベース１２２Ａ，１２２Ｂを参照して、図６に示すような、情緒表現に対応する、発光する素子のＩＤとＲＧＢの輝度の時系列のデータを読み出す（ステップＳ１２２Ｃ）。
【０１０４】
サーバ１００のＣＰＵ１１０は、電気機器３００からの電気機器３００の種類を特定する情報に基づいて、メモリ１２０の個性データベース１２３を参照して、電気機器３００の種類に対応する個性データを読み出す（ステップＳ１３２Ｃ）。
【０１０５】
ＣＰＵ１１０は、メモリ１２０から読み出した共通表現データを、メモリ１２０から読み出した個性データによって変換する（ステップＳ１４２）。ＣＰＵ１１０は、通信インターフェイス１６０を介して、変更後の共通表現データ、たとえば発光する素子のＩＤとＲＧＢの輝度の時系列のデータを電気機器３００に送信する（ステップＳ１４３）。
【０１０６】
電気機器３００のＣＰＵ３１０は、サーバ１００から受信した変換後の共通表現データに基づいて、ディスプレイ（ＬＥＤライト）３３０に、光を出力させる（ステップＳ１５０）。
＜第８の実施の形態＞
【０１０７】
第１〜第７の実施の形態においては、電気機器３００が各センサ３９５による検知結果に基づいてユーザの行動や周囲の状況や情緒表現を特定するものであった。しかしながら、本実施の形態においては、情緒表現を特定するための処理もサーバ１００が実行するものである。
【０１０８】
なお、ネットワークシステム１の全体構成、サーバ１００の構成、各種データベース、共通表現データの変換方法、電気機器３００のハードウェア構成などについては、第１の実施の形態のそれらと同様であるため、ここでは説明を繰り返さない。以下では、図２６を参照しながら、本実施の形態にかかるサーバ１００および電気機器３００における情報処理について説明する。なお、図２６は、本実施の形態にかかるサーバ１００および電気機器３００における情報処理方法を示すシーケンス図である。
【０１０９】
まず、電気機器３００のＣＰＵ３１０は、各種センサ３９５からの検知結果を取得する（ステップＳ１１７）。ＣＰＵ３１０は、通信インターフェイス３６０を介して検知結果をサーバ１００に送信する（ステップＳ１１８）。
【０１１０】
サーバ１００のＣＰＵ１１０は、受信した検知結果に基づいて、ユーザの行動または電気機器３００が出力すべき情緒表現を特定する（ステップＳ１１９）。
【０１１１】
サーバ１００のＣＰＵ１１０は、特定した情緒表現に基づいて、共通表現データベース１２２Ａ，１２２Ｂを参照して、図６に示すような、情緒表現に対応する、発光する素子のＩＤとＲＧＢの輝度の時系列のデータを読み出す（ステップＳ１２２Ｃ）。
【０１１２】
サーバ１００のＣＰＵ１１０は、電気機器３００からの電気機器３００の種類を特定する情報に基づいて、メモリ１２０の個性データベース１２３を参照して、電気機器３００の種類に対応する個性データを読み出す（ステップＳ１３２Ｃ）。
【０１１３】
ＣＰＵ１１０は、メモリ１２０から読み出した共通表現データを、メモリ１２０から読み出した個性データによって変換する（ステップＳ１４２）。ＣＰＵ１１０は、通信インターフェイス１６０を介して、変更後の共通表現データ、たとえば発光する素子のＩＤとＲＧＢの輝度の時系列のデータを電気機器３００に送信する（ステップＳ１４３）。
【０１１４】
電気機器３００のＣＰＵ３１０は、サーバ１００から受信した変換後の共通表現データに基づいて、ディスプレイ（ＬＥＤライト）３３０に、光を出力させる（ステップＳ１５０）。
＜第９の実施の形態＞
【０１１５】
第１〜第８の実施の形態においては、電気機器３００の種類や型番などに基づいて個性データが設定されるものであった。しかしながら、本実施の形態においては、電気機器３００毎に個性データが設定される。例えば、ユーザが、家電操作サービスなどにログインして、電気機器３００毎に図９に示すキーワードを選択してもよい。これによって、家電操作サービスのサーバ１００が、電気機器３００毎に個性データを記憶する。
【０１１６】
より詳細には、サーバ１００またはサーバ１００がアクセス可能な装置が、電気機器３００毎に設定されたキーワードに基づいて、図２７に示すような個性データベース１２３Ｅを記憶する。なお、本実施の形態にかかる個性データベース１２３Ｅは、機器ＩＤ毎に、キーワードと、個性データとを格納する。
【０１１７】
あるいは、ユーザが、家電操作サービスなどにログインして、電気機器３００毎に情緒表現毎に図９に示すキーワードを選択してもよい。これによって、家電操作サービスのサーバ１００が、電気機器３００毎かつ情緒表現毎に個性データを記憶する。より詳細には、サーバ１００またはサーバ１００がアクセス可能な装置が、電気機器３００毎かつ情緒表現毎に設定されたキーワードに基づいて、図２８に示すような個性データベース１２３Ｆを記憶する。なお、本実施の形態にかかる個性データベース１２３Ｆは、機器ＩＤ毎かつ情緒表現毎に個性データを格納する。
【０１１８】
なお、当然に、サーバ１００またはサーバ１００がアクセス可能な装置の代わりに、電気機器３００のメモリ３２０に自分のキーワードや個性データを記憶するものであってもよい。
＜第１０の実施の形態＞
【０１１９】
第９の実施の形態においては、ユーザが電気機器３００毎に変換方法を設定するものであった。本実施の形態においては、サーバ１００が、それぞれのユーザや家族に合わせて、電気機器３００毎に適した変換方法を学習していくものである。本実施の形態においても、サーバは、図２７または図２８に示す個性データベース１２３Ｅ，１２３Ｆ、すなわち電気機器３００毎に個性データを記憶する。
【０１２０】
そして、図２９に示すように、サーバ１００は、各家庭から電気機器３００の各種センサ３９５の検知結果または検知結果から特定された情緒表現を受け付ける。サーバ１００のＣＰＵ１１０は、通信インターフェイス１６０を介して、第１の家庭の行動履歴や他の家庭の行動履歴を受け付ける（ステップＳ２０２）。ＣＰＵ１１０は、第１の家庭の行動履歴や他の家庭の行動履歴に基づいて、第１の家庭の個性データをより適したものに調整していく（ステップＳ２０４）。すなわち、ＣＰＵ１１０は、１または複数の電気機器３００の測定データに基づいて、図２７や図２８の個性データを修正・更新する（ステップＳ２０６）。
【０１２１】
たとえば、図３０に示すように、サーバ１００は、各家庭から電気機器３００の各種センサ３９５の測定結果または情緒表現を受け付ける。ここでは、サーバ１００のＣＰＵ１１０は、第１の家庭の行動履歴として、チャンネルの変更間隔やエアコンの温度設定変更の間隔などを集計する（ステップＳ２０２）。ＣＰＵ１１０は、第１の家庭の行動履歴を、他の家庭の集計結果と比較する（ステップＳ２０４）。具体的には、ＣＰＵ１１０は、第１の家庭の変更間隔が他の家庭のそれと比較して、有意に短いときに「せっかち」というキーワードを特定する。これによって、ＣＰＵ１１０は、電気機器３００の種類に設定されている通常の変換方法よりも、時間縮小割合をさらに１０％引き下げる（ステップＳ２０６）。
【０１２２】
あるいは、図３１に示すように、サーバ１００は、各家庭から電気機器３００の各種センサ３９５の測定結果または情緒表現を受け付ける（ステップＳ２０２）。ここでは、サーバ１００のＣＰＵ１１０は、第１の家庭の行動履歴としての視聴した番組情報から番組のジャンルを特定する。ＣＰＵ１１０は、視聴するジャンルの割合を計算することによって、どのようなジャンルの番組をよく視聴するかを割り出す。ＣＰＵ１１０は、第１の家庭の行動履歴を、他の家庭の集計結果と比較する（ステップＳ２０４）。具体的には、ＣＰＵ１１０は、第１の家庭は、比較的に「音楽が好き」とか比較的に「歴史が好き」とか比較的に「ドラマがすき」とかを判定し、たとえばその結果を「派手」あるいは「真面目」などのキーワードを特定する。
【０１２３】
このようなユーザ宅のキーワードの特定処理によって、ＣＰＵ１１０は、通常の個性データよりも、色の彩度を上げたり、多色に変更したりして個性データに更新する（ステップＳ２０６）。たとえば、ＣＰＵ１１０は、「派手」というキーワードの電気機器３００に関しては、色の彩度を＋１０％に設定する（ステップＳ２０６１）。そして、ＣＰＵ１１０は、「真面目」というキーワードの電気機器３００に関しては、色の彩度を−１０％に設定する（ステップＳ２０６２）。
【０１２４】
あるいは、図３２に示すように、サーバ１００は、各家庭から電気機器３００の各種センサ３９５の測定結果または情緒表現を受け付ける。ここでは、サーバ１００のＣＰＵ１１０は、第１の家庭の行動履歴として、行動ログデータを蓄積・集計する（ステップＳ２０２）。そして、図３３に示すように、ＣＰＵ１１０は、時間帯毎に、「忙しい」や「ゆったり」や「食事」や「就寝前後」などのようなユーザ宅の状況を特定する（ステップＳ２０４）。つまり、図３４に示すように、本実施の形態においては、電気機器３００毎だけではなく、時間帯によって別々の個性データが設定される個性データベース１２３Ｇを利用する。なお、個性データは、さらに曜日にも対応付けることが好ましい。このようにして、サーバ１００のＣＰＵ１１０は、電気機器３００毎の、時間帯や曜日に応じた個性データを追加・修正・更新する（ステップＳ２０６）。
＜第１１の実施の形態＞
【０１２５】
なお、第１〜第１０の実施の形態のような、サーバ１００や電気機器３００の構造・機能・動作に限られず、たとえば各装置の役割が、他の１または封数のサーバやデータベースなどの複数の装置に分担されてもよい。逆に、複数の装置の役割の一部または全部が１つの装置に集約されてもよい。
＜その他の応用例＞
【０１２６】
本発明の一態様は、システム或いは装置にプログラムを供給することによって達成される場合にも適用できることはいうまでもない。そして、本発明の一態様を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の一態様の効果を享受することが可能となる。
【０１２７】
この場合、記憶媒体から読出されたプログラムコード自体が前述した実施の形態の機能を実現することになり、そのプログラムコードを記憶した記憶媒体は本発明の一態様を構成することになる。
【０１２８】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１２９】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜まとめ＞
【０１３０】
上記の第１〜１１の実施の形態においては、光出力システム１が提供される。光出力システム１は、複数種類の状況の各々に対応した、複数の電気機器３００で共通の表現データ１２２Ａ，１２２Ｂを記憶するためのメモリ１２０（３２０）と、電気機器３００毎の変換方法１２３（１２３Ｂ，１２３Ｃ，１２３Ｄ，１２３Ｅ，１２３Ｆ，１２３Ｇ）によって表現データ１２２Ａ，１２２Ｂを変換するためのプロセッサ３１０（１２０）と、電気機器３００に搭載され、変換後のデータに基づいて光を出力するための出力部３３０と、を備える。
【０１３１】
好ましくは、出力部３３０は、変換後のデータに基づいて、光の色、輝度、彩度のうちの少なくともいずれかを連続的に変化させることによって光を出力する。
【０１３２】
好ましくは、出力部３３０は、変換後のデータに基づいて光を出力することによって、電気機器３００または光出力システム１の生命感を表現する。なお、電気機器３００または光出力システム１の生命感とは、電気機器３００または光出力システム１があたかも生きているように感じる感覚あるいは生命がそこにあるという印象などをいう。
【０１３３】
好ましくは、出力部３３０は、変換後のデータに基づいて光を出力することによって、電気機器３００または光出力システム１の情緒を表現する。なお情緒とは、周囲の状況に基づいて起こるさまざまの微妙な感情、あるいはそのような感情を起こさせる特殊な雰囲気をいう。あるいは、喜び、悲しみ、怒り、恐怖、不安などの精神的または物理的な動きをいう。
【０１３４】
好ましくは、複数種類の状況のそれぞれが複数種類の情緒に対応付けられる。複数種類の情緒のそれぞれが複数の表現データ１２２Ａ，１２２Ｂに対応付けられる。
【０１３５】
好ましくは、複数種類の状況または複数種類の情緒は、目覚める／眠る／反応する／了解する／聞く／話す／考える／見守る／提案する／手助けする／協力する、の少なくともいずれかに対応する。
【０１３６】
好ましくは、電気機器３００毎の変換方法は、電気機器３００毎に設定された性格に対応する。
【０１３７】
好ましくは、メモリ１２０と通信インターフェイス１６０とがサーバに搭載される。通信インターフェイス１６０は、表現データまたは変換方法または変換後のデータを電気機器３００に送信する。
【０１３８】
好ましくは、複数種類の状況に応じて電気機器３００毎の変換方法を変化させる。
【０１３９】
好ましくは、複数種類の状況に属性が対応付けられる。属性に応じて電気機器３００毎の変換方法が異なる。
【０１４０】
好ましくは、電気機器３００に関する履歴に基づいて、電気機器３００に対する変換方法を学習する。
【０１４１】
好ましくは、電気機器３００毎の変換方法としてロジックを記憶する。
【０１４２】
上記の実施の形態においては、サーバ１００が提供される。サーバ１００は、複数種類の状況の各々に対応した、複数の電気機器３００で共通の表現データ１２２Ａ，１２２Ｂを、電気機器３００毎の変換方法１２３（１２３Ｂ，１２３Ｃ，１２３Ｄ，１２３Ｅ，１２３Ｆ，１２３Ｇ）によって変換するためのプロセッサ１１０と、変換後のデータを電気機器３００に送信するための通信インターフェイス１６０と、を備える。
【０１４３】
上記の実施の形態においては、サーバ１００の処理方法が提供される。サーバ１００の処理方法は、複数種類の状況の各々に対応した、複数の電気機器３００で共通の表現データ１２２Ａ，１２２Ｂを、電気機器３００毎の変換方法１２３（１２３Ｂ，１２３Ｃ，１２３Ｄ，１２３Ｅ，１２３Ｆ，１２３Ｇ）によって変換するステップと、変換後のデータを電気機器３００に送信するステップと、を備える。
【０１４４】
上記の実施の形態においては、電気機器３００が提供される。電気機器３００は、出力部３３０と、複数種類の状況の各々に対応した表現データを所定の変換方法によって変換し、変換後のデータに基づいて出力部３３０に光を出力させるためのプロセッサ３１０と、を備える。
【０１４５】
上記の実施の形態においては、プロセッサ３１０と出力部３３０とを含む電気機器３００のためのプログラムが提供される。プログラムは、複数種類の状況の各々に対応した表現データを所定の変換方法によって変換するステップと、変換後のデータに基づいて出力部３３０に光を出力させるステップと、をプロセッサ３１０に実行させる。
【０１４６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４７】
１          ：ネットワークシステム（光出力システム）
１００      ：サーバ
１１０      ：ＣＰＵ（プロセッサ）
１２０      ：メモリ
１２１      ：行動データベース
１２２Ａ    ：共通表現データベース
１２２Ｂ    ：共通表現データベース
１２３      ：個性データベース（変換方法）
１２４      ：家族データベース
１２５      ：ユーザデータベース
１２６      ：機器データベース
１３０      ：ディスプレイ
１４０      ：操作部
１６０      ：通信インターフェイス
３００      ：電気機器
３１０      ：ＣＰＵ（プロセッサ）
３２０      ：メモリ
３３０      ：ディスプレイ（出力部）
３４０      ：操作部
３５０      ：タッチパネル
３６０      ：通信インターフェイス
３７０      ：スピーカ
３８０      ：マイク
３９０      ：機器駆動部
３９５      ：センサ
【図１】
0006647413.tif 000002
【図２】
0006647413.tif 000003
【図３】
0006647413.tif 000004
【図４】
0006647413.tif 000005
【図５】
0006647413.tif 000006
【図６】
0006647413.tif 000007
【図７】
0006647413.tif 000008
【図８】
0006647413.tif 000009
【図９】
0006647413.tif 000010
【図１０】
0006647413.tif 000011
【図１１】
0006647413.tif 000012
【図１２】
0006647413.tif 000013
【図１３】
0006647413.tif 000014
【図１４】
0006647413.tif 000015
【図１５】
0006647413.tif 000016
【図１６】
0006647413.tif 000017
【図１７】
0006647413.tif 000018
【図１８】
0006647413.tif 000019
【図１９】
0006647413.tif 000020
【図２０】
0006647413.tif 000021
【図２１】
0006647413.tif 000022
【図２２】
0006647413.tif 000023
【図２３】
0006647413.tif 000024
【図２４】
0006647413.tif 000025
【図２５】
0006647413.tif 000026
【図２６】
0006647413.tif 000027
【図２７】
0006647413.tif 000028
【図２８】
0006647413.tif 000029
【図２９】
0006647413.tif 000030
【図３０】
0006647413.tif 000031
【図３１】
0006647413.tif 000032
【図３２】
0006647413.tif 000033
【図３３】
0006647413.tif 000034
【図３４】
0006647413.tif 000035